(57)【特許請求の範囲】
【請求項１】
送信データの変調を行う変調部と、回線からの受信信号をデータに変換する復調部と、データの受信エラーを検出し、そのエラーを訂正するエラー訂正部とを備え、さらに、１／Ｆゆらぎ乱数を発生する１／Ｆゆらぎ乱数発生部と、１／Ｆゆらぎ乱数を用いて送受信中のモニター音に振幅変調をかけて擬似的な波の音にする機能を有する振幅変調部とを備え、
前記振幅変調部は、前記回線とのインタフェースである回線インタフェースから入力された信号に該振幅変調をかけることを特徴とする通信装置。
【請求項２】
振幅変調部の機能をオン、オフするスイッチを設けたことを特徴とする請求項１記載の通信装置。
【請求項３】
通信機能および１／Ｆゆらぎ乱数を用いて送受信中のモニター音に振幅変調をかけて擬似的な波の音にする機能がソフトウェアで実現されたことを特徴とする請求項１記載の通信装置。
【発明の詳細な説明】
【０００１】
【発明の属する技術分野】
本発明は、使用者に聞き易いモニター音を与えることができる通信装置に関するものである。
【０００２】
【従来の技術】
従来、モデムに代表される通信装置には、接続状況を確認するためにモニター音を出力できる機能が存在する。このモニター音は２種類存在する。周期的なトーン信号とデータ通信中のスクランブル音である。このトーン信号は通常モデムの接続を開始するためのパラメータのやりとり（ハンドシェーク）時に使用され、一時的なものである。一方、スクランブル音は主に接続確立後に使用されるため、データ送受信中すなわちモデム使用中はスクランブル音がモニター音として出力される。
【０００３】
このモニター音を使用者に聞き易いようにするために、モニター音の出力レベルを変更する技術として特開平０８−２５１３０９号公報が知られている。
【０００４】
【発明が解決しようとする課題】
しかしながら、このモニター音は使用者にとって非常に耳障りの悪い音である。特に、スクランブル音はホワイトノイズ状であるため、使用者が長時間聞くには耐え難いものがある。この回避策として、通常のモデムにはハンドシェーク後、接続が確立した時点でモニター音を停止する機能が存在する。しかし、これでは元の目的であった接続状況を確認が行えないという問題が残る。
【０００５】
そこで、本発明は、スクランブル音を１／Ｆゆらぎ乱数を用いて振幅変調し擬似的な波の音に変換して出力することで、モニター音を使用者に聞き易いようにした通信装置を提供することを目的とする。
【０００６】
より具体的には、モデム等の通信装置のモニター音、特にスクランブル音に自己相似性をもったフラクタルの一種である１／Ｆゆらぎを導入し、使用者にとって聞き易いものにすることを目的とする。
【０００７】
【課題を解決するための手段】
上記目的を達成するために、請求項１記載の発明は、送信データの変調を行う変調部と、回線からの受信信号をデータに変換する復調部と、データの受信エラーを検出し、そのエラーを訂正するエラー訂正部とを備え、さらに、１／Ｆゆらぎ乱数を発生する１／Ｆゆらぎ乱数発生部と、１／Ｆゆらぎ乱数を用いて送受信中のモニター音に振幅変調をかけて擬似的な波の音にする機能を有する振幅変調部とを備え、振幅変調部が、回線とのインタフェースである回線インタフェースから入力された信号に該振幅変調をかける通信装置を最も主要な特徴とする。
【０００８】
請求項２記載の発明は、振幅変調部の機能をオン、オフするスイッチを設けた請求項１記載の通信装置を主要な特徴とする。
【０００９】
請求項３記載の発明は、通信機能および１／Ｆゆらぎ乱数を用いて送受信中のモニター音に振幅変調をかけて擬似的な波の音にする機能がソフトウェアで実現された請求項１記載の通信装置を主要な特徴とする。
【００１０】
【発明の実施の形態】
請求項１記載の発明は、通信装置において、接続確立後のスクランブル音を１／Ｆゆらぎ乱数を用いて振幅変調して擬似的な波の音に変換し、モニター音として出力するものである。
【００１１】
請求項２記載の発明は、請求項１の特徴である擬似的な波の音への変換機能のオン、オフ制御を使用者自身で設定し、よりフレキシブルに対応できるようにしたものである。
【００１２】
請求項３記載の発明は、請求項１の通信装置自体がパソコン等においてソフトウェアで実現されるようにしたものである。
【００１３】
以下に本発明を各実施形態に基づいて説明する。図１は本発明の第１の実施の形態に係る通信装置のブロック図である。端末１と接続される本装置において、２は本装置と端末１との間の端末インターフェース、３はエラー訂正部、４はデータ送信を行うための変調部、５は回線から受け取った信号をデータに変換する復調部、６は回線との間の回線インターフェースである。
【００１４】
同様に本装置において、７は接続状況を確認するためにモニター音を出力するスピーカ、８はモニター音を出力するために信号を増幅させる増幅部、９は回線インターフェース６から入力される信号を１／Ｆゆらぎ乱数を用いて振幅変調する振幅変調部、１０は１／Ｆゆらぎ乱数を発生させる１／Ｆゆらぎ乱数発生部を示す。ここで便宜上、２〜６までのブロックを総称してモデムブロック、７〜１０までのブロックを総称して１／Ｆ振幅変調ブロックと定義する。
【００１５】
本装置で、モデムブロックは接続開始から接続確立およびデータ送受信中は通常のモデムとしての機能を果たす。すなわち、回線より得られた受信信号は復調部５で復調され、エラー訂正部３に送られる。ここで受信データに誤りがあると判定された場合、再送要求を出す。エラーが無い場合、正当に受信できたと判定し、端末インターフェース２を介して端末１に送られる。また、端末１より端末インターフェース２を介して送出されてきた送信データは変調部４により変調され、回線インターフェース６を介して回線上に送出される。
【００１６】
一方１／Ｆ振幅変調ブロックでは、まず確立後端末から振幅変調部９をオンにする制御信号が送られる。回線インターフェース６を介して受信された受信信号は振幅変調部９に送られる。振幅変調部９では１／Ｆゆらぎ乱数発生部１０により予め発生された１／Ｆゆらぎ乱数Ｊ（ｎ）を基に受信信号に対して振幅変調をかける。
【００１７】
この振幅変調は、例えばｓｉｎ（Ｊ（ｎ））の半周期分を受信信号に掛け合わせることにより実現できる。これを図２に示す。また１／Ｆゆらぎ乱数発生部１０で使用する１／Ｆゆらぎ乱数発生方法の一例を図３に示す。この処理により、受信されたスクランブル音は図４に示される、擬似的な海洋の波の音として使用者に伝わるのである。
【００１８】
図５は本発明の第２の実施の形態に係る通信装置のブロック図である。端末１と接続される本装置において、２は本装置と端末１との間の端末インターフェース、３はエラー訂正部、４はデータ送信を行うための変調部、５は回線から受け取った信号をデータに変換する復調部、６は回線との間の回線インターフェースである。
【００１９】
同様に本装置において、７は接続状況を確認するためにモニター音を出力するスピーカ、８はモニター音を出力するために信号を増幅させる増幅部、９は回線インターフェース６から入力される信号を１／Ｆゆらぎ乱数を用いて振幅変調する振幅変調部、１０は１／Ｆゆらぎ乱数を発生させる１／Ｆゆらぎ乱数発生部を示す。ここで便宜上、２〜６までのブロックを総称してモデムブロック、７〜１０までのブロックを総称して１／Ｆ振幅変調ブロックと定義する。
【００２０】
本装置の動作は図１に示す第１の実施の形態と同じである。本実施の形態の装置は、１／Ｆ振幅変調ブロックで確立後端末から振幅変調部９をオンにする制御信号が送られる以外に、使用者がこの機能をオン、オフできるようにスイッチ１１を設けたものである。
【００２１】
図６は本発明の第３の実施の形態に係る通信装置のブロック図である。図中で、１２は通信を行うアプリケーション（プログラム）、１３はオペレーティングシステム（ＯＳ）、３はエラー訂正部、４はデータ送信を行うための変調部、５は回線から受け取った信号をデータに変換する復調部、６は回線との間の回線インターフェースである。
【００２２】
同様に、１４は本装置がソフトウェアで実現されているプラットホーム（例えばパソコン）に付随するサウンド処理デバイス（サウンドボード）、８はモニター音をサウンド処理デバイス１４に出力するために信号を増幅させる増幅部、９は回線インターエース６から入力される信号を１／Ｆゆらぎ乱数を用いて振幅変調する振幅変調部、１０は１／Ｆゆらぎ乱数を発生させる１／Ｆゆらぎ乱数発生部を示す。ここで便宜上、３、４、５、６、１３のブロックを総称してモデムブロック、８、９、１０、１４のブロックを総称して１／Ｆ振幅変調ブロックと定義する。
【００２３】
本装置で、モデムブロックは接続開始から接続確立およびデータ送受信中は通常のモデムとしての機能を果たす。すなわち、回線より得られた受信信号は復調部５で復調されエラー訂正部３に送られる。ここで受信データに誤りがあると判定された場合、再送要求を出す。エラーが無い場合、正当に受信できたと判定し、オペレーティングシステム１３を介して任意のアプリケーション１２に送られる。また、アプリケーション１２よりオペレーティングシステム１３を介して送出されてきた送信データは変調部４により変調され、回線インターフェース６を介して回線上に送出される。
【００２４】
一方１／Ｆ振幅変調ブロックでは、まず確立後端末から振幅変調部９をオンにする制御信号が送られる。回線インターフェース６を介して受信された受信信号は振幅変調部９に送られる。振幅変調部９では１／Ｆゆらぎ乱数発生部１０により予め発生された１／Ｆゆらぎ乱数Ｊ（ｎ）を基に受信信号に対して振幅変調をかける。
【００２５】
この振幅変調は例えばｓｉｎ（Ｊ（ｎ））の半周期分を受信信号に掛け合わせることにより実現できる。これを図２に示す。また１／Ｆゆらぎ乱数発生部１０で使用する１／Ｆゆらぎ乱数発生方法の一例を図３に示す。この処理により、受信されたスクランブル音は、図４に示される擬似的な海洋の波の音としてオペレーティングシステム１３を経由して、サウンド処理デバイス１４より使用者に伝わるのである。
【００２６】
【発明の効果】
以上のように請求項１の通信装置によれば、使用者が長時間聞くには耐え難いスクランブル音を擬似的な波の音にすることにより、使用者に不快感を与えないようにすることができる。すなわち癒し効果がある。
【００２７】
請求項２の通信装置によれば、擬似的な波の音にする機能を使用者がオン、オフ制御できるため、使用者の好みに合わせて動作させることが可能である。
【００２８】
請求項３の通信装置によれば、通信機能および１／Ｆゆらぎ乱数を用いて送受信中のモニター音に振幅変調をかけて擬似的な波の音にする機能をソフトウェアで実現することにより、システムの変更／訂正を容易に行うことができる。
【図面の簡単な説明】
【図１】本発明の第１の実施の形態に係る通信装置のブロック図である。
【図２】本発明の振幅変調の例を示す図である。
【図３】１／Ｆゆらぎ乱数発生方法の一例を示す図である。
【図４】１／Ｆゆらぎ乱数発を用いて振幅変調された擬似的な波の音の例を示す図である。
【図５】本発明の第２の実施の形態に係る通信装置のブロック図である。
【図６】本発明の第２の実施の形態に係る通信装置のブロック図である。
【符号の説明】
３  エラー訂正部
４  変調部
５  復調部
９  振幅変調部
１０  １／Ｆゆらぎ乱数発生部
【図１】
0003914734.tif 000002
【図２】
0003914734.tif 000003
【図３】
0003914734.tif 000004
【図４】
0003914734.tif 000005
【図５】
0003914734.tif 000006
【図６】
0003914734.tif 000007